(57)【要約】【課題】  特殊なケーブルを要することなく制御基板と各ハードディスクドライブとの接続を可能とし、これによりコストの低減が図れる電子機器を提供する。【解決手段】  制御基板１とハードディスクドライブ２０，３０との接続用として、特殊なＩＤＥケーブルを用いることなく、単純な構成のＨＤＤ取付基板４０およびケーブル５１，５２を採用する。【選択図】    図１
2011034596.tif 000002
【特許請求の範囲】
【請求項１】
制御基板と、
第１および第２のハードディスクドライブと、
前記各ハードディスクドライブが取付けられる取付基板と、
前記取付基板上の前記各ハードディスクドライブと対応する位置に設けられ、対応するハードディスクドライブをマスタモードおよびスレーブモードのいずれかに設定する複数の設定器と、
前記制御基板に設けられ、前記各ハードディスクドライブのマスタモードおよびスレーブモードを前記各設定器の設定にかかわらず設定するためのＩＤＥ信号を発するＩＤＥ信号回路と、
前記制御基板に設けられ、前記各ハードディスクドライブに対する動作用電圧を出力する電源回路と、
前記制御基板に設けられ、前記各ハードディスクドライブのモードを切替えるための操作器と、
前記制御基板に設けられ、前記操作器の操作に応じて前記各ハードディスクドライブのマスタモードとスレーブモードを前記各設定器の設定および前記ＩＤＥ信号回路のＩＤＥ信号にかかわらず切替えるための切替信号を発する切替信号回路と、
前記ＩＤＥ信号回路と前記取付基板との間に接続され、前記ＩＤＥ信号を伝送する第１ケーブルと、
前記電源回路および前記切替信号回路と前記取付基板との間に接続され、前記動作用電圧および前記切替信号を伝送する第２ケーブルと、
前記取付基板に設けられ、前記第１ケーブルからのＩＤＥ信号を前記各ハードディスクドライブに導く第１線路と、
前記取付基板に設けられ、前記第２ケーブルからの動作用電圧を前記各ハードディスクドライブに導く第２線路と、
前記取付基板に設けられ、前記第２ケーブルからの切替信号を前記各ハードディスクドライブに導く第３線路と、
を備えていることを特徴とする電子機器。
【発明の詳細な説明】
【技術分野】
【０００１】
この発明は、複数のハードディスクドライブを有する電子機器に関する。
【背景技術】
【０００２】
一般に、ハードディスクドライブは壊れる部品の一つとして認識されており、ＲＡＩＤ（Redundant Array of Independent Disks）等の様々な保護手段が存在するが、クラッシュを完全に防ぐことは困難であり、クラッシュ後の速やかな処理の継続が要求される。
【０００３】
そこで、パーソナルコンピュータ等の電子機器では、記憶デバイスとして２つのハードディスクドライブ（ＨＤＤ）を備え、これらハードディスクドライブをマスタモードおよびスレーブモードにそれぞれ設定して使用するものがある。この場合、マスタモードのハードディスクドライブが先ず起動され、そのマスタモードのハードディスクドライブが壊れた場合に、バックアップとして、スレーブモードのハードディスクドライブが起動される。
【０００４】
このような２つのハードディスクドライブを備えた電子機器の要部を図２に示している。  
１は制御基板で、その制御基板１にＩＤＥ（Integrated Device Electronics）ケーブル１０の一端が接続されている。そして、ＩＤＥケーブル１０の他端に、2.5インチタイプの２つのハードディスクドライブ２０，３０のコネクタ（44ピンコネクタ）２１，３１が接続されている。ハードディスクドライブ２０，３０は、マスタモードおよびスレーブモードの初期設定器として、ＣＳ（Cable Select）設定器２２，３２を有している。ＣＳ設定器２２，３２は、いわゆるジャンパスイッチである。このＣＳ設定器２２，３２の操作により、ハードディスクドライブ２０，３０のいずれか一方がマスタモードに設定され、残りがスレーブモードに設定される。
【０００５】
制御基板１には、ＩＤＥ信号回路２、電源回路３、操作器４、および切替信号回路５が設けられている。ＩＤＥ信号回路２は、ハードディスクドライブ２０，３０のマスタモードおよびスレーブモードをＣＳ設定器２２，３２の初期設定にかかわらず設定するためのＩＤＥ信号を発する。電源回路３は、ハードディスクドライブ２０，３０の動作に必要な動作用電圧を出力する。操作器４は、ハードディスクドライブ２０，３０のモードを切替えたい場合に操作するもので、通常ポジションおよびバックアップポジションへの切替操作が可能な操作レバー４ａを有している。例えば、ハードディスクドライブ２０，３０を初期設定のまま使用したい場合は操作レバー４ａが通常ポジションに設定され、ハードディスクドライブ２０，３０のモードを切替えたい場合は操作レバー４ａがバックアップポジションに設定される。切替信号回路５は、操作器４の操作に応じて、ハードディスクドライブ２０，３０のモードをＣＳ設定器２２，３２の初期設定およびＩＤＥ信号回路２のＩＤＥ信号にかかわらず切替えるための２本の切替信号を発する。
【０００６】
上記ＩＤＥケーブル１０は、上記ＩＤＥ信号、上記動作用電圧、および上記各切替信号をハードディスクドライブ２０，３０に導くための複数の線路を含み、とくに各切替信号のための２本の線路を互いに交差させる形の特殊なケーブルとなっている。
【０００７】
なお、ハードディスクドライブなど複数のデバイスを有する例として、各デバイスを順に切替えながら起動する電子機器がある（例えば特許文献１）。
【先行技術文献】
【特許文献】
【０００８】
【特許文献１】特開２００６―２５１９４５号公報
【発明の概要】
【発明が解決しようとする課題】
【０００９】
上記のように、制御基板１とハードディスクドライブ２０，３０との接続にＩＤＥケーブル１０を用いる電子機器では、ＩＤＥケーブル１０が専用に設計される特殊のものであることから、コストの上昇を招くという問題がある。
【００１０】
この発明は、上記の事情を考慮したもので、その目的は、特殊なケーブルを要することなく制御基板と各ハードディスクドライブとの接続を可能とし、これによりコストの低減が図れる電子機器を提供することにある。
【課題を解決するための手段】
【００１１】
請求項１に係る発明の電子機器は、制御基板と、第１および第２のハードディスクドライブと、これらハードディスクドライブが取付けられる取付基板と、この取付基板上の各ハードディスクドライブと対応する位置に設けられ、対応するハードディスクドライブをマスタモードおよびスレーブモードのいずれかに設定する複数の設定器と、上記制御基板に設けられ、各ハードディスクドライブのマスタモードおよびスレーブモードを上記各設定器の設定にかかわらず設定するためのＩＤＥ信号を発するＩＤＥ信号回路と、上記制御基板に設けられ、各ハードディスクドライブに対する動作用電圧を出力する電源回路と、上記制御基板に設けられ、各ハードディスクドライブのモードを切替えるための操作器と、上記制御基板に設けられ、上記操作器の操作に応じて各ハードディスクドライブのマスタモードとスレーブモードを上記各設定器の設定および上記ＩＤＥ信号回路のＩＤＥ信号にかかわらず切替えるための切替信号を発する切替信号回路と、上記ＩＤＥ信号回路と上記取付基板との間に接続され、上記ＩＤＥ信号を伝送する第１ケーブルと、上記電源回路および上記切替信号回路と上記取付基板との間に接続され、上記動作用電圧および上記切替信号を伝送する第２ケーブルと、上記取付基板に設けられ、上記第１ケーブルからのＩＤＥ信号を各ハードディスクドライブに導く第１線路と、上記取付基板に設けられ、上記第２ケーブルからの動作用電圧を各ハードディスクドライブに導く第２線路と、上記取付基板に設けられ、上記第２ケーブルからの切替信号を各ハードディスクドライブに導く第３線路と、を備えている。
【発明の効果】
【００１２】
この発明の電子機器によれば、特殊なケーブルを要することなく制御基板と各ハードディスクドライブとを接続できる。これにより、コストの低減が図れる。
【図面の簡単な説明】
【００１３】
【図１】一実施形態の構成を示すブロック図。
【図２】従来構成を示すブロック図。
【発明を実施するための形態】
【００１４】
以下、この発明の一実施形態について図面を参照して説明する。なお、図面において、図２と同一部分には同一符号を付し、その詳細な説明は省略する。  
図１に示すように、ハードディスクドライブ２０，３０からＣＳ設定器が除去されるとともに、ハードディスクドライブ２０，３０のコネクタ２１，３１として50ピンコネクタが採用される。そして、コネクタ２１，３１が、互いに隣接する状態で、ＨＤＤ取付基板４０の一側縁部に挿入接続される。
【００１５】
ＨＤＤ取付基板４０の他側縁部は、単純な構成の第１および第２ケーブル５１，５２を介して制御基板１に接続される。
【００１６】
第１ケーブル５１は、制御基板１のＩＤＥ信号回路２から発せられるＩＤＥ信号を伝送するための１本の線路を包含している。この第１ケーブル５１により制御基板１に伝送されるＩＤＥ信号は、ＨＤＤ取付基板４０上に形成されている第１線路たとえば導電パターン４１により、ハードディスクドライブ２０，３０におけるコネクタ２１，３１のＩＤＥ信号入力ピンにそれぞれ導かれる。
【００１７】
第２ケーブル５２は、制御基板１の電源回路３から出力される動作用電圧および切替信号回路５から発せられる２つの切替信号を伝送するための合計３本の線路を包含している。この第２ケーブル５２によって制御基板１に伝送される動作用電圧は、ＨＤＤ取付基板４０上に形成されている第２線路たとえば導電パターン４２により、ハードディスクドライブ２０，３０におけるコネクタ２１，３１の電源ピンにそれぞれ導かれる。また、第２ケーブル５２によって制御基板１に伝送される切替信号は、ＨＤＤ取付基板４０上に形成されている第３線路たとえば導電パターン４３ａ，４３ｂにより、ハードディスクドライブ２０，３０におけるコネクタ２１，３１の切替信号入力ピンにそれぞれ導かれる。
【００１８】
そして、ＨＤＤ取付基板４０上のハードディスクドライブ２０，３０とそれぞれ対応する位置に、モード設定用のＣＳ設定器４５，４６が配設されている。ＣＳ設定器４５は、コネクタ２１のモード設定用の一対のピンの相互間を導通または遮断するためのジャンパスイッチを有し、対応するハードディスクドライブ２０をマスタモードおよびスレーブモードのいずれかに初期設定するために用意されている。ＣＳ設定器４６は、コネクタ３１のモード設定用の一対のピンの相互間を導通または遮断するためのジャンパスイッチを有し、対応するハードディスクドライブ３０をマスタモードおよびスレーブモードのいずれかに初期設定するために用意されている。通常、ハードディスクドライブ２０，３０の一方がマスタモードに設定されて他方がスレーブモードに設定される。
【００１９】
作用を説明する。  
当該電子機器の制御に基づくＩＤＥ信号がＩＤＥ信号回路２から発せられると、ハードディスクドライブ２０，３０のマスタモードおよびスレーブモードがＣＳ設定器４５，４６の初期設定にかかわらず切替えられる。例えば、マスタとして動作しているハードディスクドライブ２０に異常が生じた場合、バックアップとして、スレーブモードのハードディスクドライブ３０がマスタモードに切替えられて直ちに起動される。このバックアップ起動により、電子機器の処理が継続される。
【００２０】
また、制御基板１における操作器４の操作レバー４ａが通常ポジションに設定されている場合、切替信号回路５から発せられる２本の切替信号は通常の論理レベルに維持される。これにより、ＣＳ設定器４５，４６の初期設定に基づき、ハードディスクドライブ２０がマスタ、ハードディスクドライブ３０がスレーブとして機能する。ハードディスクドライブ２０の異常などにより、ハードディスクドライブ３０をマスタとして機能させたい場合には、操作器４の操作レバー４ａをバックアップポジションに設定すればよい。この場合、切替信号回路５から発せられる２本の切替信号の論理レベルが変化し、ＣＳ設定器４５，４６の初期設定にかかわらず、ハードディスクドライブ３０がマスタモードに切替えられる。
【００２１】
とくに、制御基板１とハードディスクドライブ２０，３０との接続用として、従来のような特殊なＩＤＥケーブルを用いることなく、簡単なＨＤＤ取付基板４０および単純なケーブル５１，５２を採用したので、コストの低減が図れる。
【００２２】
なお、この発明は上記各実施形態に限定されるものではなく、要旨を変えない範囲で種々変形実施可能である。
【符号の説明】
【００２３】
１…制御基板、２…ＩＤＥ信号回路、３…電源回路、４…操作器、４ａ…操作レバー、５…切替信号回路、２０，３０…ハードディスクドライブ、２１，３１…コネクタ、４０ＨＤＤ取付基板、４１…第１線路、４２…第２線路、４３ａ，４３ｂ…第３線路、４５，４６…ＣＳ設定器、５１…第１ケーブル、５２…第２ケーブル
【図１】
2011034596.tif 000003
【図２】
2011034596.tif 000004
【手続補正書】
【提出日】平成22年12月10日(2010.12.10)
【手続補正２】
【補正対象書類名】特許請求の範囲
【補正対象項目名】全文
【補正方法】変更
【補正の内容】
【特許請求の範囲】
【請求項１】
複数のハードディスクドライブが取付けられるＨＤＤ取付基板において、
前記各ハードディスクドライブをマスタモードおよびスレーブモードのいずれかに設定する複数の設定器と、
前記各ハードディスクドライブのマスタモードおよびスレーブモードを前記各設定器の設定にかかわらず設定するためのＩＤＥ信号、を前記各ハードディスクドライブに導く第１線路と、
動作用電圧を前記各ハードディスクドライブに導く第２線路と、
前記各ハードディスクドライブのマスタモードとスレーブモードを前記各設定器の設定および前記ＩＤＥ信号にかかわらず切替えるための切替信号、を前記各ハードディスクドライブに導く第３線路と、
を備えることを特徴とするＨＤＤ取付基板。
【請求項２】
請求項１記載のＨＤＤ取付基板および制御基板を有する電子機器であって、
前記制御基板は、前記動作用電圧を出力する電源回路と、前記各ハードディスクドライブのモードを切替えるための操作器と、この操作器の操作に応じて前記切替信号を発する切替信号回路とを有する、
ことを特徴とする電子機器。
【手続補正３】
【補正対象書類名】明細書
【補正対象項目名】０００１
【補正方法】変更
【補正の内容】
【０００１】
この発明は、複数のハードディスクドライブが取付けられるＨＤＤ取付基板およびそのＨＤＤ取付基板を有する電子機器に関する。
【手続補正４】
【補正対象書類名】明細書
【補正対象項目名】００１０
【補正方法】変更
【補正の内容】
【００１０】
この発明は、上記の事情を考慮したもので、その目的は、特殊なケーブルを要することなく制御基板と各ハードディスクドライブとの接続を可能とし、これによりコストの低減が図れるＨＤＤ取付基板および電子機器を提供することにある。
【手続補正５】
【補正対象書類名】明細書
【補正対象項目名】００１１
【補正方法】変更
【補正の内容】
【００１１】
請求項１に係る発明のＨＤＤ取付基板は、複数のハードディスクドライブが取付けられるものであって、前記各ハードディスクドライブをマスタモードおよびスレーブモードのいずれかに設定する複数の設定器と、前記各ハードディスクドライブのマスタモードおよびスレーブモードを前記各設定器の設定にかかわらず設定するためのＩＤＥ信号、を前記各ハードディスクドライブに導く第１線路と、動作用電圧を前記各ハードディスクドライブに導く第２線路と、前記各ハードディスクドライブのマスタモードとスレーブモードを前記各設定器の設定および前記ＩＤＥ信号にかかわらず切替えるための切替信号、を前記各ハードディスクドライブに導く第３線路と、を備える。
【手続補正６】
【補正対象書類名】明細書
【補正対象項目名】００１２
【補正方法】変更
【補正の内容】
【００１２】
この発明のＨＤＤ取付基板および電子機器によれば、特殊なケーブルを要することなく制御基板と各ハードディスクドライブとを接続できる。これにより、コストの低減が図れる。